(57)【特許請求の範囲】
【請求項１】
複数のスロット（１４）が形成された中空円筒形状の固定子鉄心（１２）と、前記スロットに巻回され矩形断面形状を持つ複数の導体（１７、２７）の前記固定子鉄心の端面から延び出た端部（２１ａ、２１ｂ、３１ａ、３１ｂ、Ｕａ、Ｖａ、Ｗａ）を接合して形成された固定子巻線（Ｕ、Ｖ、Ｗ）とを備えた固定子（１０）を含む回転電機において、
各前記導体の前記端部は先端の直線状の接合部（４２、４７）と該接合部に連続する渡り部（４３、４８）とを含み、前記渡り部の延在方向が前記固定子鉄心の円周方向に対し角度をなすか、または前記接合部が前記固定子鉄心の円周方向接線を軸として径方向に捻られ、対を成す前記接合部の一端が溶接部（５０）で接合され前記接合部の他端が前記渡り部に連続し、
前記導体は、前記矩形断面の前記固定子鉄心の円周方向の辺を第１辺とし、半径方向の辺が第２辺となるよう前記スロットに配置されるものであり、
前記複数の導体は、少なくとも１つの溶接部において、一方の前記接合部の第２辺側側面に他方の前記接合部の第２辺側側面が、前記固定子鉄心の略円周方向に接合され、
前記接合部の第１辺側側面と平行な投影平面に投影したとき、対を成す前記接合部の延在方向の成す角度は０度でなく、
前記接合部の第２辺側側面と平行な投影平面に投影したとき、対を成す前記接合部の延在方向の成す角度は０度でないことを特徴とする回転電機。
【請求項２】
複数のスロット（１４）が形成された中空円筒形状の固定子鉄心（１２）と、前記スロットに巻回され矩形断面形状を持つ複数の導体（１７、２７）の前記固定子鉄心の端面から延び出た端部（２１ａ、２１ｂ、３１ａ、３１ｂ、Ｕａ、Ｖａ、Ｗａ）を接合して形成された固定子巻線（Ｕ、Ｖ、Ｗ）とを備えた固定子（１０）を含む回転電機において、
各前記導体の前記端部は先端の直線状の接合部（４２、４７）と該接合部に連続する渡り部（４３、４８）とを含み、前記渡り部の延在方向が前記固定子鉄心の円周方向に対し角度をなすか、または前記接合部が前記固定子鉄心の円周方向接線を軸として径方向に捻られ、対を成す前記接合部の一端が溶接部（５０）で接合され前記接合部の他端が前記渡り部に連続し、
前記導体は、前記矩形断面の前記固定子鉄心の円周方向の辺を第１辺とし、半径方向の辺が第２辺となるよう前記スロットに配置されるものであり、
前記複数の導体は、少なくとも１つの溶接部において、一方の前記接合部の第２辺側側面に他方の前記接合部の第２辺側側面が、前記固定子鉄心の略円周方向に接合され、
前記接合部の第１辺側側面と平行な投影平面に投影したとき、対を成す前記接合部の延在方向の成す角度は０度でなく、
前記接合部の延在方向と垂直な投影平面に投影したとき、対を成す前記接合部の成す角度は０度でないことを特徴とする回転電機。
【請求項３】
各前記導体は複数のセグメントから成ることを特徴とする請求項１又は２に記載の回転電機。
【請求項４】
所定相の前記固定子巻線を形成するセグメントの両端が接合されていることを特徴とする請求項３に記載の回転電機。
【請求項５】
所定相の前記固定子巻線は直列接続された複数の巻線部を含み、第１巻線部の一端のセグメントの一端と、第２巻線部の一端のセグメントの一端とが接合されていることを特徴とする請求項３に記載の回転電機。
【請求項６】
三相の前記固定子巻線を含み、第１相固定子巻線の一端の前記セグメントの一端、第２相固定子巻線の一端の前記セグメントの一端、及び前記第３相巻線の一端の前記セグメントの一端が接合されていることを特徴とする請求項３に記載回転電機。
【請求項７】
各前記導体は連続線から成ることを特徴とする請求項１又は２に記載の回転電機。
【請求項８】
所定相の前記固定子巻線は直列接続された複数の巻線部を含み、第１巻線部の一端と第２巻線部の一端とが接合されていることを特徴とする請求項７に記載の回転電機。
【請求項９】
三相の前記固定子巻線を含み、第１相固定子巻線の一端、第２相固定子巻線の一端、及び前記第３相巻線の一端が接合されていることを特徴とする請求項７に記載の回転電機。
【請求項１０】
一方の前記接合部に他方の前記接合部の角部が接合されていることを特徴とする請求項３又は７に記載の回転電機。
【請求項１１】
複数のスロット（１４）が形成された中空円筒形状の固定子鉄心（１２）と、前記スロットに巻回され矩形断面形状を持つ複数の導体（１７、２７）の前記固定子鉄心の端面から延び出た端部（２１ａ、２１ｂ、３１ａ、３１ｂ、Ｕａ、Ｖａ、Ｗａ）を接合して形成された固定子巻線（Ｕ、Ｖ、Ｗ）とを含む固定子（１０）を備えた回転電機において、
前記導体の前記端部は先端の直線状の接合部（４２、４７）と該接合部に連続する渡り部（４３、４８）とを含み、前記渡り部の延在方向が前記固定子鉄心の円周方向に対し角度をなすか、または前記接合部が前記固定子鉄心の円周方向接線を軸として径方向に捻られ、
前記導体は、前記矩形断面の前記固定子鉄心の円周方向の辺を第１辺とし、半径方向の辺が第２辺となるよう前記スロットに配置されるものであり、
前記複数の導体は、少なくとも１つの溶接部において、一方の前記接合部の第２辺側側面に他方の前記接合部の第２辺側側面が、前記固定子鉄心の略円周方向に接合され、
前記接合部の第２辺側側面と平行な投影平面に投影したとき、対を成す前記接合部の延在方向の成す角度は０度でなく、
前記接合部の延在方向と垂直な投影平面に投影したとき、各前記導体の前記接合部の第１辺側側面に対して前記渡り部の延在方向の成す角度は０度でないことを特徴とする回転電機。
【請求項１２】
前記接合部の延在方向と垂直な投影平面に投影したとき、対を成す前記接合部の成す角度は０度でないことを特徴とする請求項１１に記載の回転電機。
【発明の詳細な説明】
【技術分野】
【０００１】
本発明は、交流発電機など固定子を含む回転電機、特にその固定子巻線を形成する複数の導体の端部の接合に関する。
【背景技術】
【０００２】
回転電機の一種である交流発電機はハウジングに固定された固定子と、ハウジングに回転可能に支持され外部からの駆動力で回転される回転子とを含む。例えば三相交流発電機の固定子は、固定子鉄心と、そのスロットを利用して巻かれた三本の固定子巻線とを含む。三本の固定子巻線の一端は中性点で例えば星形（スター）結線され、他端は整流器に接続される。回転子が回転すると固定子の固定子巻線に交流が発生し、この交流は整流器で直流に整流されて利用される。
【０００３】
固定子巻線は、それぞれが一対の直線部、湾曲部及び一対の端部を有する複数のＵ字形状のセグメントの端部同士を接合して形成されることが多い。第１従来例の回転電機の固定子とその製造方法（特許文献１参照）は、複数のセグメントを接合して固定子巻線を形成する方法を示す。即ち、複数のスロットが設けられた固定子鉄心と、スロットに装備された複数のセグメントの端部を接合して形成された固定子巻線において、互いに接合される二本のセグメントは、直線部が０度よりも大きな所定角度で交差した接合部によって接続されている。固定子鉄心から突出する各セグメントの直線部は、周方向側面に配置した曲げ部材を回転させることにより曲げられ、その先端部同士が突き合わされる。
【０００４】
上記三本の固定子巻線の一端は固定子鉄心の端面上のコイルエンドから引き出され、中性点接合部で接合される。ここで、固定子鉄心の軸方向に延び円周方向で中間のＶ相巻線の一端に、円周方向で一側のＵ相巻線の一端及び円周方向で他側のＷ相巻線の一端をそれぞれ中性点接合部で接合する場合を考える。この場合、コイルエンドからのＶ相巻線の引出し位置と、Ｕ相巻線の引出し位置及びＷ相巻線の引出し位置とは固定子鉄心の円周方向に離れていることが多い。そのため、Ｖ相巻線は軸方向に延びているが、Ｕ相巻線の引出し位置から中性点接合部まで渡り部が延び、Ｗ相巻線の引出し位置から中性点接合部まで渡り部が延びている。
【０００５】
例えば、第２従来例の交流発電機の固定子（特許文献２参照）では、固定子鉄心の端面側から視たとき、中性点接合部と、Ｕ相巻線の渡り部の引出し位置と、Ｗ相巻線の渡り部の引出し位置とがほぼ同一円上に配置されている。Ｕ相巻線の渡り部及びＷ相巻線の渡り部は固定子鉄心の端面上でほぼ円周方向に配回しされている。また、Ｖ相巻線の接合部はコイルエンドから固定子鉄心の軸線と平行即ち直線状に延びているが、Ｕ相巻線の接合部及びＷ相巻線の接合部はともにＬ字形状に屈曲している。
【特許文献１】特開２００３−２５９５８３号公報
【特許文献２】特開２００１−２８６０８２号公報
【発明の開示】
【発明が解決しようとする課題】
【０００６】
上記第１従来例の回転電機の固定子では、固定子鉄心を外周面側から視たとき、互いに接合される二本セグメントの直線部が０度よりも大きな角度で交差している。ここで、一方のセグメントの直線部の先端面と、他方のセグメントの直線部の先端面から少し後退した部分の内側面とが全面で接合しており、従って固定子鉄心の外周面視で二つの直線部の成す角度が９０度又はこれに近い角度に限定される。これでは、直線部の円周方向の長さを短くするのに限界があり、セグメントの電気抵抗がそれほど低減されない。
【０００７】
また、固定子鉄心の端面視で、一方のセグメントの直線部と他方のセグメントの直線部とが成す角度が０度である。しかし、固定子鉄心の円周方向及び半径方向でスロットからのセグメントの引出し位置には種々のパターンがあり、二本の直線部の成す角度は０度では直線部同士の接合にとって不都合な場合もある。
【０００８】
上記第２従来例の交流発電機の固定子では、円周方向で中間に位置するＶ相巻線の直線状の一端の一側面に、円周方向で一側に位置するＵ相巻線のＬ字形の一端の側面を接合し、Ｖ相巻線の直線状の一端の他側面に、円周方向で他側に位置するＷ相巻線のＬ字形の一端の側面を接合している。その際、Ｕ相巻線の一端の側面とＶ相巻線の一側面とを全面当たりさせ、Ｗ相巻線の一端の側面とＶ相巻線の他側面とを全面当たりさせている。
【０００９】
これでは、例えばＶ相巻線の一端に対してＵ相巻線の一端の方向や位置がずれた場合、側面同士を全面当たりさせるための加工が面倒である。特に、固定子巻線の巻き方等によっては、Ｖ相巻線の引出位置と、Ｕ相巻線の引出位置と、Ｗ相巻線の引出位置とが固定子鉄心の端面上で同一円上に位置せず、半径方向にずれる場合がある。この場合には、Ｕ相巻線の一端の曲げ量、捩り量が特に大きくなり易い。
【００１０】
例えば、外周面視でＶ相巻線の直線状の一端に対してＵ相巻線のＬ字形の一端が円周方向に離れた場合、Ｕ相巻線の一端をＶ相巻線の一端に面当たりさせるためにはＬ字形の一端の先端側半分（Ｖ相巻線の接合部に接合される部分）の途中を屈曲させることが必要となる。また、端面視でＶ相巻線の一端の延在方向とＵ相巻線の一端の延在方向とが平行でなく所定角度を成す場合、側面同士を面当たりさせるためにはＵ相巻線のＬ字形の上記先端側半分全体を延在方向と平行な軸の回りに捩ることが必要となる。
【００１１】
また、Ｕ相巻線の一端とＶ相巻線の一端とを面当りさせるためにＵ相巻線の一端を曲げたり捩ったりする途中で、Ｕ相巻線の一端を曲げ、捩るために必要な力に対して、Ｕ相巻線の一端はＶ相巻線の一端に比較的狭い領域で当接するため、Ｖ相巻線の側面に傷が付き易い。
【００１２】
また、Ｕ相巻線及びＷ相巻線のＬ字形状の接合部は、軸方向に延びる部分と円周方向に延びる部分とを持つ。その結果、接合部がＬ字形状である分固定子巻線の長さが長くなり、電気抵抗が大きくなる。
【００１３】
本発明は上記事情に鑑みてなされたもので、固定子巻線を形成する複数の導体の端部同士や固定子巻線の端部同士を容易に接合でき、しかも導体の端部の長さを短くできる固定子を含む回転電機を提供することを目的とする。
【課題を解決するための手段】
【００１４】
本願の発明者は、導体の端部の接合時に必要な接合強度を確保するためには端部同士を全面で接合することは不可欠でないことに注目して、本発明を完成した。
【００１５】
（１）第１発明の固定子を含む回転電機は、請求項１に記載したように、複数のスロットが形成された中空円筒形状の固定子鉄心と、スロットに巻回され矩形断面形状を持つ複数の導体の固定子鉄心の端面から延び出た端部を接合して形成された固定子巻線とを備えた固定子を含む回転電機において、
各導体の端部は先端の直線状の接合部と接合部に連続する渡り部とを含み、渡り部の延在方向が固定子鉄心の円周方向に対し角度をなすか、または接合部が固定子鉄心の円周方向接線を軸として径方向に捻られ、対を成す接合部の一端が溶接部で接合され接合部の他端が渡り部に連続し、
導体は矩形断面の固定鉄子心の円周方向の辺を第１辺とし、半径方向の辺が第２辺となるようスロットに配置されるものであり、
複数の導体は少なくとも１つの溶接部において、一方の接合部の第２辺側側面に他方の接合部の第２辺側側面が、固定子鉄心の略円周方向に接合され、
接合部の第１辺側側面と平行な投影平面に投影したとき、対を成す接合部の延在方向の成す角度は０度でなく、
接合部の第２辺側側面と平行な投影平面に投影したとき、対を成す接合部の延在方向の成す角度は０度でないことを特徴とする。
【００１７】
（２）第２発明の固定子を含む回転電機は、請求項２に記載したように、複数のスロットが形成された中空円筒形状の固定子鉄心と、スロットに巻回され矩形断面形状を持つ複数の導体の固定子鉄心の端面から延び出た端部を接合して形成された固定子巻線とを備えた固定子を含む回転電機において、
各導体の端部は先端の直線状の接合部と接合部に連続する渡り部とを含み、渡り部の延在方向が固定子鉄心の円周方向に対し角度をなすか、または接合部が固定子鉄心の円周方向接線を軸として径方向に捻られ、対を成す接合部の一端が溶接部で接合され接合部の他端が渡り部に連続し、
導体は矩形断面の固定鉄子心の円周方向の辺を第１辺とし、半径方向の辺が第２辺となるようスロットに配置されるものであり、
複数の導体は少なくとも１つの溶接部において、一方の接合部の第２辺側側面に他方の接合部の第２辺側側面が、固定子鉄心の略円周方向に接合され、
接合部の第１辺側側面と平行な投影平面に投影したとき、対を成す前記接合部の延在方向の成す角度は０度でなく、
接合部の延在方向と垂直な投影平面に投影したとき、対を成す接合部の成す角度は０度でないことを特徴とする。
【００１８】
請求項３の回転電機は、各導体は複数のセグメントから成る。請求項４の回転電機は、所定相の固定子巻線を形成するセグメントの両端が接合されている。請求項５の回転電機は、所定相の固定子巻線は直列接続された複数の巻線部を含み、第１巻線部の一端のセグメントの一端と、第２巻線部の一端のセグメントの一端とが接合されている。請求項６の回転電機は、三相の固定子巻線を含み、第１相固定子巻線の一端の前記セグメントの一端、第２相固定子巻線の一端のセグメントの一端、及び第３相巻線の一端のセグメントの一端が接合されている。
【００１９】
請求項７の回転電機は、各導体は連続線から成る。請求項８の回転電機は、所定相の固定子巻線は直列接続された複数の巻線部を含み、第１巻線部の一端と第２巻線部の一端とが接合されている。請求項９の回転電機は、三相の固定子巻線を含み、第１相固定子巻線の一端、第２相固定子巻線の一端、及び第３相巻線の一端が接合されている。請求項１０の回転電機は、一方の接合部に他方の接合部の角部が接合されている。
【００２０】
（３）第３発明の固定子を含む回転電機は、請求項１１に記載したように、複数のスロットが形成された中空円筒形状の固定子鉄心と、スロットに巻回され矩形断面形状を持つ複数の導体の固定子鉄心の端面から延び出た端部を接合して形成された固定子巻線とを含む固定子を備えた回転電機において、
導体の端部は先端の直線状の接合部と接合部に連続する渡り部とを含み、渡り部の延在方向が固定子鉄心の円周方向に対し角度をなすか、または接合部が固定子鉄心の円周方向接線を軸として径方向に捻られ、
導体は矩形断面の固定鉄子心の円周方向の辺を第１辺とし、半径方向の辺が第２辺となるようスロットに配置されるものであり、
複数の導体は少なくとも１つの溶接部において、一方の接合部の第２辺側側面に他方の接合部の第２辺側側面が、固定子鉄心の略円周方向に接合され、
接合部の第２辺側側面と平行な投影平面に投影したとき、対を成す接合部の延在方向の成す角度は０度でなく、
接合部の延在方向と垂直な投影平面に投影したとき、各導体の接合部の第１辺側側面に対して渡り部の延在方向の成す角度は０度でない。請求項１２の回転電機は、接合部の延在方向と垂直な投影平面に投影したとき、対を成す接合部の成す角度は０度でない。
【発明の効果】
【００２１】
（１）請求項１の固定子を含む回転電機によれば、接合部の第１辺側側面と平行な投影平面に投影したとき（固定子鉄心の外周面視で）固定子巻線を形成する導体の対を成す接合部の延在方向が成す角度が０度でなく、所定角度を成している。その結果、接合部の先端部のみを部分的に当接でき、対を成す接合部の成す角度が０度の場合に比べて、曲げ工数を増やすことなく接合部の円周方向長さを短くできひいては固定子巻線の長さを短くでき、その分電気抵抗が小さくなる。また、接合部の傾倒方向即ち固定子鉄心の円周方向又はスロットの離間方向における剛性が向上する。更に、一対の接合部の一方の先端部のみを他方に部分的に当接させることができる。さらにまた、対を成す接合部を固定子鉄心の円周方向に重ねて配置した場合に、渡り部の引出し位置のずれに対処でき、接合部の長さを短くできる。
【００２２】
また、請求項１の固定子を含む回転電機によれば、接合部の第２辺側側面と平行な投影平面に投影したとき（固定子鉄心の半径方向断面視で）対を成す接合部の延在方向が所定角度を成すので、接合部の先端部のみを部分的に当接でき、渡り部の引出し位置がずれていても接合部を容易に接合でき、しかも曲げ工数を増やすことなく接合部の長さを短くできる。また、接合部の傾倒方向即ち固定子鉄心の半径方向における剛性が向上する。
【００２３】
請求項２の固定子を含む回転電機によれば、接合部の延在方向と垂直な投影平面に投影したとき（固定子鉄心の端面視で）対を成す接合部が所定角度を成すので、接合部の先端部のみを部分的に当接でき、渡り部の固定子鉄心の端面からの引出し位置がずれていても容易に接合できる。
【００２４】
請求項４の回転電機によれば、所定相の固定子巻線を形成するセグメントの接合部同士を接合する場合に、渡り部の引出し位置のずれに対処でき、接合部の長さを短くできる。請求項５の回転電機によれば、所定相の固定子巻線の互いに直列接続される巻線部を形成するセグメントの接合部同士を接続する場合に渡り部の引出し位置のずれに対処でき、接合部の長さを短くできる。請求項６の回転電機によれば、三相の固定子巻線のそれぞれの一端が接合される中性点に接続されるセグメントの接合部同士を接続する場合に、渡り部の引出し位置のずれに対処でき、しかも接合部の長さを短くできる。
【００２５】
請求項８の回転電機によれば、所定相の固定子巻線を形成する連続線の接合部同士を接合する場合に、渡り部の引出し位置のずれに対処でき、接合部の長さを短くできる。請求項９の回転電機によれば、所定相の固定子巻線の互いに直列接続される巻線部を形成する連続線の接合部同士を接続する場合に渡り部の引出し位置のずれに対処でき、しかも接合部の長さを短くできる。
【００２６】
請求項１０の回転電機によれば、一方の接合部の側面に他方の接合部の角部が接合されており、このような接合によれば、たとえば一対の接合部の第２辺を含む側面同士が固定子鉄心の円周方向に離れている場合でも、何れか一方の接合部をその軸線の回りに捩ることにより、該一方の接合部の第１辺を含む平面と第２辺を含む平面とが交差する角部が他方の接合部の側面に接近して該側面との距離をつめることができる。
【００２７】
請求項１１の回転電機によれば、接合部の第１辺側側面に対して渡り部の延在方向の成す角度が０度でなく、所定角度を成す。その結果、対を成す渡り部は固定子鉄心の円周方向に対して所定角度を成すので、対を成す渡り部の引出し位置がずれていても容易に接合できる。請求項１２の回転電機によれば、接合部の延在方向が所定角度を成すので、渡り部の固定子鉄心の端面からの引出し位置がずれている場合でも容易に接合できる。
【発明を実施するための最良の形態】
【００２８】
＜種々の態様＞
（固定子を含む回転電機）
本発明の回転電機の固定子は複数のスロットが形成された固定子鉄心と、スロットに巻回された複数の固定子巻線とを備えている。各固定子巻線は複数の電気導体（例えばＵ字形状で矩形断面形状を持つセグメント）を接合して成り、又は連続線から成ることができる。セグメントは一対の直線部と、直線部の一端の湾曲部と、直線部の他端の一対の端部とを含む。
【００２９】
互いに接合されるセグメント又は連続線には三つのタイプがある。なお、固定子巻線が複数のセグメントから成る場合でも、連続線から成る場合でも、一端の接合に関する事情は実質的に同じなので、以下セグメントの一端の接合について説明する。なお、セグメントなどの一端は基本的に固定子鉄心の端面から軸方向に延在しており、接合部の延在方向は概ね固定子鉄心の軸方向に対応する。第１タイプは、所定相の固定子巻線を形成する対を成す複数（二つ又は三つ以上）のセグメントである。複数のセグメントの一端を順次接合することにより所定相の固定子巻線が完成する。第２タイプは、所定相の固定子巻線が直列接続された複数（二つ又は三つ以上）の巻線部を含む場合の、第１巻線部の一端のセグメント及び第２巻線部の一端のセグメントである。第１巻線部の一端のセグメントの一端と第２巻線部の一端のセグメントの一端とを接合することにより、第１巻線部と第２巻線部とが直列接続される。第２巻線部と第３巻線部との関係、第２巻線部と第３巻線部との関係についても同様である。
【００３０】
第３タイプは、三相の固定子巻線を含む場合の、中性点接合部で接合されるセグメントに関する。第１相固定子巻線の一端部のセグメントの一端と第２相固定子巻線の一端のセグメントの一端とが接合され、第１相固定子巻線の一端のセグメントの一端と第３相固定子巻線の一端部のセグメントの一端とが接合される。その結果、第１相固定子巻線の一端、第２相固定子巻線の一端及び第３相固定子巻線の一端のセグメントの一端が相互に接合される。なお、中性点で接合されるこれらのセグメントは、その他のセグメントと比べて渡り部の長さを長くできる。連続線の場合、上記セグメントの場合の第２タイプと第３タイプとがある。
【００３１】
導体の端部は先端の接合部と、この接合部に連続する渡り部とを含む。接合部の一端が溶接部で溶接され、他端が渡り部に連続している。次に、互いに接合される導体の対を成す接合部の延在方向の成す角度及び互いに接合される導体の対を成す接合部の成す角度について、セグメントを例にして説明する。基本的に、互いに接合されるセグメントの対を成す接合部の延在方向の成す角度等は０度でない。ここで、「成す角度が０度でない」とは、両方の延在方向が一致せず、平行でもないことを意味する。
【００３２】
対を成す接合部の成す角度には三つの方向から視た場合がある。第１に、接合部の第１辺（短辺と長辺とで区画される矩形断面の短辺）側側面と平行な投影平面に投影したときの角度である。第２に、対を成す接合部の延在方向が成す角度は、接合部の第２辺（矩形断面の短辺と直交する長辺）側側面と平行な投影平面に投影したときの角度である。
【００３３】
第３に、対を成す接合部が成す角度は、接合部の延在方向（接合部の高さ方向）と垂直な投影平面に投影したときの角度である。ここで、接合部の第１辺側側面と平行な投影平面及び接合部の第２辺側側面と平行な投影平面にそれぞれ投影したとき、対を成す接合部の延在方向が成す角度をなす場合、「接合部の延在方向」とは、両方の接合部の延在方向が成す角度の二等分線を意味する。
【００３４】
なお、「対を成す接合部の延在方向が成す角度が０度でない」又は「対を成す接合部の成す角度が０度でない」との条件は、投影平面の少なくとも一つに投影したとき満たされればよい。従って、何れか二つの投影平面に投影されたとき満たされても良いし、三つの投影平面に投影されたとき満たされても良い。
【００３５】
セグメントの接合部の接合の仕方には四つのタイプがある。ここで、固定子鉄心の端面からのセグメントの接合部の延在方向を必要に応じて接合部の「高さ方向」と呼び、断面矩形状の接合部の短辺方向（固定子鉄心の円周方向）を必要に応じて「厚さ方向」と呼び、長辺方向（固定子鉄心の半径方向）を必要に応じて「幅方向」と呼ぶ。第１タイプでは、一方の接合部の長辺側側面（厚さ方向一面）に他方の接合部の長辺側側面が接合されており、二つの接合部は固定子鉄心の円周方向に重ねて配置されている。長辺側側面の全体が接合されても良いが、必要な接合強度が確保される限りにおいて、その一部のみが接合されても良い。
【００３６】
第２タイプでは、一方の接合部の短辺側側面（幅方向一面）に他方の接合部の短辺側側面が接合され、二つの接合部は固定子鉄心の半径方向に並んで配置されている。短辺側側面の全体が接合されても良いが、必要な接合強度が確保される限りにおいて、その一部のみが接合されても良い。第３タイプでは、一方の接合部の長辺側側面に他方の接合部の短辺側側面が接合されている。第１タイプ及び第２タイプは同じ長さの側面同士の接合であり、第３タイプは異なる長さの側面同士の接合である。
【００３７】
第４タイプでは、一方の接合部に他方の接合部の角部が接合されている。ここで、他方の接合部の角部は、一方の接合部の短辺側側面、長辺側側面又は角部の何れに接合されても良い。なお、第１から第４タイプにおいて、接合部の接合には例えばアーク溶接を利用することができる。
【００３８】
セグメントなどの導体の渡り部の延在方向について説明する。接合部の延在方向と垂直な投影平面に投影したとき、接合部の第１辺側側面に対して渡り部の延在方向の成す角度は０度でない。対をなす渡り部が固定子鉄心の円周方向（接線方向）と所定角度を成すことができ、これは対を成すセグメントのわたり部の引出し位置の固定子鉄心の半径方向や軸線方向でのずれへの対処に役立つ。なお、接合部の延在方向は所定角度を成すことが望ましいが、必須ではない。
【００３９】
＜第１実施形態＞
（イ）固定子、固定子巻線
図１から図８に本発明の第１実施形態を示す。車両用交流発電機の主要部断面である図１に示すように、交流発電機は電機子として働く固定子１０と、界磁として働く回転子５０と、フロントハウジング６１及びリアハウジング６２と、交流電力を直流電力に変換する整流器６５とを備えている。固定子１０については後述する。回転子５０はシャフト５１と一体に回転するもので、ランデル型ポールコア５２、界磁コイル５３、スリップリング５４、斜流ファン５６及び遠心ファン５７を備えている。ランデル型ポールコア５２は一組のポールコア５２ａ及び５２ｂを組合わせて構成されている。シャフト５１はプーリ５８に連結され、自動車に搭載された走行用のエンジン(図示せず)により回転駆動される。ハウジング６１及び６２は回転子５０を支持するとともに固定子１０を挟持している。整流器６５は車両用交流発電機の反プーリ側の端部に設けられている。
【００４０】
上記図１及び固定子１０の部分断面図である図２に示すように、固定子１０は固定子鉄心１２、固定子鉄心１２のスロット１３内に配置された複数の電気導体により構成される固定子巻線Ｕ、Ｖ及びＷ、及び固定子鉄心１２と電気導体１８ａ、１８ｂ、２８ａ及び２８ｂとの間を電気絶縁するインシュレータ１６により構成される。そして、電気導体は、図３に示すセグメント１７及び２７により提供される。
【００４１】
詳述すると、図２に示すように、固定子鉄心１２は半径方向に所定深さで軸方向に貫通する複数のスロット１４が形成され、各スロット１３には四本の電気導体１８ａ、１８ｂ、２８ａ及び２８ｂが収容されている。複数の電気導体１８ａ、１８ｂ、２８ａ及び２８ｂは、図３に示すように、矩形断面の銅線をＵ字形状に成形した大小二つのセグメント１７及び２７により提供される。大セグメント１７は一対の直線部１８ａ及び１８ｂと、一対の直線部の一端側のターン部１９と、一対の直線部の他端側の一対の端部２１ａ及び２１ｂとを含む。各端部２１ａ及び２１ｂは折曲げ部２２ａ及び２２ｂと、接合部２３ａ及び２３ｂとを含む。
【００４２】
同様に、小セグメント２７は一対の直線部２８ａ及び２８ｂと、一対の直線部の一端側のターン部２９と、一対の直線部の他端側の一対の端部３１ａ及び３１ｂとを含む。各端部３１ａ及び３１ｂは折曲げ部３２ａ及び３２ｂと、接合部３３ａ及び３３ｂとを含む。四本の電気導体１８ａ、２８ａ、２８ｂ及び１８ｂは、固定子鉄心１２の径方向に関して内側から内端層、内中層、外中層、外端層の順で一列に配列され、これら電気導体が所定のパターンで接続されて後述するＵ相固定子巻線（以下、必要に応じて「Ｕ相巻線」と呼ぶ）Ｕ、Ｖ相固定子巻線（以下、必要に応じて「Ｖ相巻線」と呼ぶ）Ｖ、及びＷ相固定子巻線（以下、必要に応じて「Ｗ相巻線」と呼ぶ）Ｗがそれぞれ形成される。
【００４３】
各相固定子巻線の結線状態を図４に示す。外端層１８ｂが一点鎖線で、外中層２８ｂが破線で、内中層２８ａが実線で、内端層１８ａが二点鎖線で、それぞれ示されている。各スロット１４内の１本の電気導体は、所定の磁極ピッチ離れた他のスロット１４内の１本の他の電気導体と対をなしている。例えば、あるスロット１４内の内端層の電気導体１８ａは、固定子鉄心１２の時計回り方向に向けて１磁極ピッチ離れた他のスロット１４内の外端層の電気導体１８ｂと対をなしている。同様に、あるスロット１４内の内中層の電気導体２８ａは固定子鉄心１２の時計回り方向に向けて１磁極ピッチ離れた他のスロット１４内の外中層の電気導体２８ｂと対をなしている。
【００４４】
これらの対をなす電気導体は、固定子鉄心１２の軸方向の一方端部１３ａでターン部１９及び２９を経由することで接続される。従って、固定子鉄心１２の一方端部１３ａでは、外中層の電気導体２８ｂと内中層の電気導体２８ａとを接続するターン部２９を、外端層の電気導体１８ｂと内端層の電気導体１８ａとを接続するターン部１９が囲む。複数のターン部１９及び２９により一方コイルエンド１５ａが形成される。
【００４５】
また、これらの電気導体は固定子鉄心１２の軸方向の他方端部１３ｂで接合により接続される。外端層の電気導体１８ｂの端部２１ｂの接合部２３ｂの側面と外中層の電気導体２８ｂの端部３１ｂの接合部３３ｂとを接続する接合部４１ａの側面と、内端層の電気導体１８ａの端部２１ａの接合部２３ａの側面と内中層の電気導体２８ａの端部３１ａの接合部３３ａとを接続する接合部４１ｂの側面とが、径方向に並んでいる。複数の接合部４１ａ及び４１ｂにより他方コイルエンド１５ｂが形成される。
【００４６】
図４及び図５に示すように大セグメント１７と小セグメント２７とをスロット１３内に配置及び接合して固定子鉄心１２の回りを二周するＵ相固定子巻線Ｕが形成される。第１周目が第１巻線部Ｕ１を形成し、第２周目が第２巻線部Ｕ２を形成し、二つの巻線部Ｕ１とＵ２とはＵ１ａ及びＵ２ａとで直列に接続されている。具体的には、第１巻線部Ｕ１の一端のセグメントと、第２巻線部Ｕ２の一端のセグメントとが接合されている。同様にして、Ｖ相巻線Ｖ及びＷ相巻線Ｗが形成されている。Ｕ相巻線Ｕ、Ｖ相巻線Ｖ及びＷ相巻線Ｗは互いに１２０度ずつ位相の異なるスロットに形成される。
【００４７】
固定子鉄心１２の一方コイルエンド１５ａ側において、Ｕ相巻線Ｕの一端Ｕａ、Ｖ相巻線Ｖの一端Ｖａ、及びＷ相巻線Ｗの一端Ｗａが中性点Ｎで接合されている。なお、Ｕ相巻線Ｕの他端Ｕｂ、Ｖ相巻線Ｖの他端Ｖｂ及びＷ相巻線Ｗの他端Ｗｂは整流器６５に接続されている。
【００４８】
以下、中性点Ｎ及びその周辺につき、図６から図８を参照しつつ説明する。図６は固定子鉄心の外周面視、図７は固定子鉄心の端面視、図８は固定子鉄心の半径方向断面視である。Ｖ相巻線Ｖの一端（以下、「Ｖ相一端」と呼ぶ）Ｖａは先端の接合部４２と、境界部（屈曲部）４４を介して接合部４２に連続した渡り部４３とを含む。Ｕ相巻線Ｕの一端（以下「Ｕ相一端」と呼ぶ）Ｕａは、先端の接合部４５とこれに連続した渡り部４６と含む。Ｗ相巻線Ｗの一端（以下「Ｗ相一端」と呼ぶ）Ｗａは、先端の接合部４７と、境界部（屈曲部）４９を介して接合部４７に連続した渡り部４８とを含む。
【００４９】
図６で接合部の延在方向（図６（ａ）で上下方向）と直交する平面ｐに投影した図７においてＶ相一端Ｖａの渡り部４６の引出し位置Ｖｃに対してＵ相一端Ｕａの渡り部４３の引出し位置Ｕｃは固定子鉄心１２の半径方向内側に位置し、Ｗ相一端Ｗａの渡り部４８の引出し位置Ｗｃは半径方向外側に位置している。固定子鉄心１２の円周方向でＶ相一端Ｖａの接合部４５が中間に位置しＵ相一端Ｕａの接合部４２がその一側に位置し、Ｗ相一端Ｗａの接合部４７がその他側に位置している。三つの接合部４２、４５及び４７が接合されて中性点接合部Ｎを形成している。
【００５０】
詳述すると、図７で接合部４５の短辺４５ａと平行な平面ｑに投影した図６（ａ）（ｂ）に示す外周面視で、Ｖ相一端Ｖａの接合部４５の延在方向（図６（ｂ）で上方向）に対して、Ｕ相一端Ｕａの直線状の接合部４２は固定子鉄心１２の円周方向一方（図６（ｂ）で左方）に所定角度を成して延在している。
【００５１】
接合部４２に対して渡り部４３は鈍角を成し即ち厚さ方向に屈曲して曲げ部４４でつながっている。Ｖ相一端Ｖａの接合部４５の一面と、Ｕ相一端Ｕａの接合部４２の一面とが高さ方向上端寄りで溶接部５０により溶接されている。接合部４２の一端が溶接部５０で溶接され、他端は渡り部４３に連続している。
【００５２】
また、Ｗ相一端Ｗａの直線状の接合部４７は接合部４５に対して固定子鉄心１２の円周方向他方側に所定角度を成して延在し、この接合部４７に対して渡り部４８は鈍角を成し曲げ部４９でつながっている。Ｖ相一端Ｖａの接合部４５の他面と、Ｗ相一端Ｗａの接合部４７の一面とが高さ方向上端寄りで溶接部５０により溶接されている。接合部４７の一端が溶接部５０で溶接され、他端は渡り部４８に連続している。
【００５３】
図７（ａ）（ｂ）に示す端面視で、Ｖ相一端Ｖａの接合部４５、Ｕ相一端Ｕａの接合部４２及びＷ相一端Ｗａの接合部４７は平行である。Ｕ相一端Ｕａの接合部４２に対して屈曲部４４により渡り部４３は半径方向内方（図７（ｂ）で左方）側に即ち幅方向に屈曲している。なお、図６の外周面視で接合部４２が接合部４５に対して所定角度を成すので、図７の端面視で屈曲部４４はＶ相一端Ｖａの接合部４５から円周方向に少し離れている。
【００５４】
また、Ｗ相一端Ｗａの接合部４７に対して屈曲部４９により渡り部４８は半径方向外方（図７（ｂ）で右方）側に即ち幅方向に屈曲しており、接合部４７の厚さ方向に対して渡り部４８は固定子鉄心１２の半径方向外方側に所定角度を成して延在している。端面視で屈曲部４９は接合部４５から円周方向に少し離れている。図７（ａ）（ｂ）に示す端面視で接合部４２と接合部４７とは平行である。
【００５５】
更に、図７（ａ）で接合部４５の上記短辺４５ａと直交する長辺４５ｂと平行な平面ｒに投影した図８（ａ）に示す半径方向断面視で、Ｖ相一端Ｖａの接合部４５の高さ方向（図８（ａ）で上方向）に対して、Ｕ相一端Ｕａの接合部４２は、接合部４５と同じ方向（図８（ａ）上方向）に延在し、投影図では重なっている。また、接合部４５の高さ方向に対して、Ｗ相一端Ｗａの接合部４７は接合部４５と同じ方向（図８（ａ）で上方向）に延在し、投影視図では重なっている。
【００５６】
（ロ）接合方法
次に、第１実施形態における、中性点接合部ＮにおけるＵ相一端Ｕａ、Ｖ相一端Ｖａ及びＷ相一端Ｗａの接合方法について説明する。Ｕ相一端Ｕａ及びＷ相一端ＷａをＶ相一端Ｖａに接近させ、Ｖ相一端Ｖａに対してＵ相一端Ｕａ及びＷ相一端Ｗを少し離してセットする。次に、Ｕ相一端Ｕａの屈曲部４４を起点として接合部４２を渡り部４３に対して、厚さ方向即ち固定子鉄心１２の円周方向に変形させるとともに、その幅方向即ち固定鉄心１２の半径方向に曲げる。これにより、図６（ａ）（ｂ）の外周面視で接合部４２の高さ方向と接合部４５の高さ方向とが所定角度を成し、図７（ａ）（ｂ）の端面視で接合部４２の厚さ方向と渡り部４３の延在方向とが所定角度を成す。
【００５７】
同様に、Ｗ相一端Ｗａの屈曲部４９を起点として接合部４７を渡り部４８に対して、厚さ方向即ち固定子鉄心１２の円周方向に変形させるとともに、その幅方向即ち固定鉄心１２の半径方向に曲げる。これにより、外周面視で接合部４７の高さ方向と接合部４５の高さ方向とが所定角度を成し、端面視で接合部４７の厚さ方向と渡り部４８の延在方向とが所定角度を成す。
【００５８】
その結果、図６（ａ）（ｂ）の外周面視で接合部４２の高さ方向と接合部４７の高さ方向とが所定角度を成す。また、図７（ａ）（ｂ）の端面視で渡り部４３の延在方向（周方向）と渡り部４８の延在方向（周方向）とが平行となる。次に、Ｖ相一端Ｖａの接合部４５を、Ｕ相一端Ｕａの接合部４２及びＷ相一端Ｗａの接合部４７で円周方向両側から挟んだ状態で、溶接により三つの接合部４２、４５及び４７を接合する。
【００５９】
（ハ）効果
第１実施形態の固定子巻線によれば、以下の効果が得られる。第１に、図７（ａ）（ｂ）の端面視で、固定子鉄心１２の半径方向におけるＶ相一端Ｖａの引出し位置ＶｃとＵ相一端Ｕａの引出し位置ＵｃとＷ相一端Ｗａの引出し位置Ｗｃとの違いに起因する接合部４２、４５及び４７の半径方向のずれに容易に対処できる。これは、Ｕ相一端Ｕａの渡り部４３は接合部４２に対して屈曲部４４で半径方向内方に屈曲し、Ｗ相一端Ｗａの渡り部４８は接合部４７に対して屈曲部４９で半径方向外方に屈曲しているからである。
【００６０】
第２に、接合部４２及び接合部４７の長さを短くでき、その結果Ｕ相一端ＵａひいてはＵ相巻線Ｕの長さを短くでき、電気抵抗を小さくできる。これは、従来の接合部はＬ字形状に屈曲していたのに対して、第１実施形態の接合部４２及び接合部４７は直線状に延び、渡り部４３及び４８に対して鈍角を成し、上端縁のみ接合部４５に接合しているからである。その結果、固定子鉄心１２の半径方向、円周方向及び軸方向において、渡り部４３及び渡り部４８の先端と接合部４５とを最短距離で結んでいる。
【００６１】
第３に、三つの接合部４２，４５及び４８は溶接部５０により先端（上端）のみ接合され、それ以外の部分は互いに離間しているので、先端に雨水が付着しにくく、仮に付着しても下方に排水され易い。
【００６２】
第１実施形態の固定子巻線の接合方法によれば、始めにＶ相一端Ｖａに対してＵ相一端Ｕａ及びＷ相一端Ｗａを固定子鉄心１２の円周方向に少し離してセットし、その後接合部４２及び４７をその厚さ方向及び幅方向に変形させる。その結果、Ｖ相一端Ｖａの引出し位置Ｖｃ、Ｕ相一端Ｕａの引出し位置Ｕｃ及びＷ相一端Ｗａの引出し位置Ｗｃのずれに応じて、接合４５に対して、接合部４２及び４７を半径方向及び高さ方向に変形させることができる。
【００６３】
＜変形例＞
上記第１実施形態では、図６（ａ）（ｂ）の外周面視でＵ相一端Ｕａの接合部４２がＶ相一端Ｖａの接合部４５に対して所定角度を成すために、図７（ａ）（ｂ）の端面視でＵ相一端Ｕａの屈曲部４４が接合部４５から少し離れていた。但し、外周面視でＵ相一端Ｕａ及びＷ相一端Ｗａの接合部１００がＶ相一端Ｖａの接合部１０５に対して成す角度を０度にすること、即ち接合部１００の前面１０１を接合部１０５の後面１０６に密着させることもできる。この場合、図９に示す端面視でＵ相一端Ｕａの幅方向に屈曲した屈曲部１０４はＶ相一端Ｖａの接合部１０５のすぐ近傍に位置することになる。
【００６４】
なお、図７（ｃ）及び図８（ｂ）に示すように、Ｕ相一端Ｕａの屈曲部４４を厚さ方向のみに屈曲させ幅方向には屈曲させず、その代わりに接合部４２をＶ相一端Ｖａの接合部４５に対して、固定子鉄心１２の半径方向内方側に所定角度を成して延在させても良い。また、Ｗ相一端Ｗａの屈曲部４９を厚さ方向のみに屈曲させ幅方向には屈曲させず、その代わりに接合部４７をＶ相一端Ｖａの接合部４５に対して、固定子鉄心１２の半径方向外方側に所定角度を成して延在させる。
【００６５】
この場合、Ｕ相一端Ｕａの接合部４２は固定子鉄心１２の半径方向内向きに延び、渡り部４３は接合部４５よりも固定子鉄心１２の半径方向内方に位置する。また、Ｗ相一端Ｗａの接合部４７は固定子鉄心１２の半径方向外向きに延び、渡り部４８は接合部４５よりも固定子鉄心１２の半径方向外方に位置する。
【００６６】
＜第２実施形態＞
図１０に示す第２実施形態では、固定子鉄心１２の端面視で、接合部１１０が渡り部１１３に対して幅方向に屈曲していないが、接合部１１０の前面１１１が所定方向に傾斜している。前面１１１の傾斜方向は接合部１１０の厚さが幅方向内側（左側）で薄く、幅方向外側（右側）が厚くなる方向である。その結果、端面視で、Ｕ相一端Ｕａの接合部１１０の傾斜した前面１１１の全体がＶ相一端Ｖａの接合部１１５の後面１１６の全体に当接し、接合部１１５の厚さ方向に対して円周方向に延びた渡り部１１３が所定角度を成している。
【００６７】
なお、第２実施形態の外周面視及び半径方向断面視は第１実施形態と同じである。また、Ｖ相一端ＶａとＷ相一端Ｗａの関係は、Ｖ相一端ＶａとＵ相一端Ｕａとの関係と同様である。第２実施形態によれば、第１実施形態と同様の効果に加えて、Ｕ相一端Ｕａ及びＷ相一端Ｗａに曲げ部を形成することが不要となる。
【００６８】
＜第３実施形態＞
図１１及び図１２に示す第３実施形態では、固定子鉄心１２の端面視で、Ｕ相一端Ｕａの渡り部１２２に対して接合部１２０は幅方向に屈曲していないが、接合部１２０の短辺と平行な軸Ｘの回りに時計方向に少しねじられている。その結果、図１２に示す斜視図からわかるように、半径方向断面視で接合部１２０の延在方向と接合部１２５の延在方向とが所定角度を成している（図８参照）。また、図１１に示す端面視でＶ相一端Ｖａの接合部１２５の厚さ方向（図１１で上下方向）に対して、Ｕ相一端Ｕａの円周方向に延びた渡り部１２２が所定角度を成している。
【００６９】
なお、第３実施形態の外周面視及び半径方向断面視は第１実施形態と同じである。その結果、図１２に示すように、接合部１２０の側面が接合部１２５の側面に斜線を引いた領域で当接している。また、Ｖ相一端ＶａとＷ相一端Ｗａの関係は、Ｖ相一端ＶａとＵ相一端Ｕａとの関係と同様である。第３実施形態によれば、第１実施形態と同様の効果に加えて、Ｕ相一端Ｕａ及びＷ相一端Ｗａに曲げ部や傾斜面を形成することが不要となる。
【００７０】
＜第４実施形態＞
図１３及び図１４に示す第４実施形態では、固定子鉄心１２の端面視で、Ｕ相一端Ｕａの接合部１３０は渡り部１３２に対して幅方向に屈曲していないが、接合部１３０の延在方向に延びる軸Ｙの回りに少し時計方向にねじられている。その結果、図１３の端面視でＶ相一端Ｖａの接合部１３５の厚さ方向に対してＵ相一端Ｕａの円周方向に延びた渡り部１３２が所定角度を成して、接合部１３５の幅方向に対して接合部１３０の幅方向が所定角度を成している。
【００７１】
なお、第４実施形態の外周面視及び半径方向断面視は第１実施形態と同じである。また、Ｖ相一端ＶａとＷ相一端Ｗａの関係は、Ｖ相一端ＶａとＵ相一端Ｕａとの関係と同様である。第３実施形態によれば、第１実施形態と同様の効果に加えて、Ｕ相一端Ｕａ及びＷ相一端Ｗａに曲げ部や傾斜面を形成することが不要となる。
【００７２】
また、図１５に示す第４実施形態の変形例では、接合部１４０が接合部１４５に対して短辺と平行な軸の回りにねじられるとともに、延在方向に延びる軸の回りにねじられている。
【００７３】
＜第５実施形態＞
図１６に示す第５実施形態は、上記第１実施形態から第４実施形態に比べて、Ｖ相一端Ｖａの接合部１５５に対するＵ相一端Ｕａの接合部１５０やＷ相一端Ｗａの接合部１５８の位置関係が異なる。即ち、Ｖ相一端Ｖａの接合部１５５の幅方向内側にＵ相一端Ｕａの接合部１５０が配置され、接合部１５５の幅方向一面（内側面）１５６に接合部１５０の幅方向一面（外側面）１５１が接合されている。Ｕ相一端Ｕａの渡り部１５２に固定子鉄心１２の半径方向で外向きに屈曲する屈曲部１５４が形成されている。なお、Ｗ相一端Ｗａの接合部１５８は上記第１実施形態などと同様、固定子鉄心１２の円周方向でＶ相一端Ｖａの接合部１５５の厚さ方向一側に配置されている。
【００７４】
第５実施形態の変形例として、端面視で、接合部１５５と接合部１５０とを、平行でなく、所定角度を成すように配置しても良い。そのためには、接合部１５５の側面と接合部１５０の側面とが所定角度を成すようにすればよい。また、図１７に示すように、Ｖ相一端Ｖａの接合部１５５の幅方向外側にＷ相一端Ｗａの接合部１６０を配置し、接合部１６０と渡り部１６２との間に屈曲部１６４を形成する。接合部１５５の幅方向他面（外側面）１５７に接合部１６０の幅方向一面（内側面）１６１が接合されている。
【００７５】
第５実施形態及びその変形例によれば、Ｖ相一端Ｖａの接合部１５５に対してＵ相一端Ｕａの接合部１５０及び／又はＷ相一端Ｗａの接合部１５８、１６０を幅方向内側又は外側に配置した場合に、上記第１実施形態などと同様の効果が得られる。
【００７６】
＜第６実施形態＞
上記第１実施形態から第５実施形態では、本発明が三つの接合部の接合に適用されていた。但し、本発明は図１８及び図１９に示すような二つの接合部１７１と１７６の接合にも適用することができる。例えば、Ｕ相巻線を形成するあるセグメントの一方の端部１７０と別のセグメントの一方の端部１８０とを接合する場合である（第１実施形態、図３の接合部４１ａ及び４１ｂ参照）。
【００７７】
一方端部１７０は接合部１７１と渡り部１７２とを含み、固定子鉄心１２の端面視（図１８参照）で接合部１７１は渡り部１７２に対して短辺と平行な厚さ方向軸のまわりにねじられている。他方端部１７５は接合部１７６と渡り部１７７とを含み、固定子鉄心１２の端面視（図１８参照）で接合部１７１は渡り部１７７に対して短辺と平行な厚さ方向軸のまわりにねじられている。
【００７８】
その結果、接合部１７１と接合部１７６とは、外周面視で所定角度を成し、端面視で平行で、半径方向断面視で所定角度を成し、斜線を引いた領域で当接している。渡り部１７２と渡り部１７７とは端面視で平行である。
【００７９】
第６実施形態によれば、Ｕ相巻線Ｕを構成する二つのセグメントの一方端部同士１７０と１７５とを接合する場合に、中性点接合部Ｎで三つの接合部４２、４５及び４７等を接合する場合と同様の効果が得られる。
【図面の簡単な説明】
【００８０】
【図１】本発明の第１実施形態の縦断面図である。
【図２】第１実施形態の固定子鉄心の横断面図である。
【図３】第１実施形態のセグメントの斜視図である。
【図４】第１実施形態の固定子巻線の巻線図である。
【図５】第１実施形態の回路構成図である。
【図６】第１実施形態の（ａ）は固定子鉄心の外周面視図、（ｂ）は（ａ）の要部拡大図である。
【図７】第１実施形態の（ａ）は固定子鉄心の要部端面視図、（ｂ）は（ａ）の拡大図、（ｃ）は第１実施形態の変形例の端面視図である。
【図８】（ａ）は第１実施形態の固定子鉄心の要部半径方向断面視図、（ｂ）は第１実施形態の変形例の半径方向断面視図である。
【図９】第１実施形態の変形例の説明図である。
【図１０】第２実施形態を示す説明図である。
【図１１】第３実施形態の端面視図である。
【図１２】第３実施形態の斜視図である。
【図１３】第４実施形態の端面視図である。
【図１４】第４実施形態の斜視図である。
【図１５】第４実施形態の変形例の説明図である。
【図１６】第５実施形態の端面図である。
【図１７】第５実施形態の変形例の説明図である。
【図１８】第６実施形態の端面視図である。
【図１９】第６実施形態の斜視図である。
【符号の説明】
【００８１】
１０：固定子                            １２：固定子鉄心
１３ａ、１３ｂ：固定子鉄心の端部        １４：スロット
１７、２７：コイルエンド          １８ａ、１８ｂ、２８ａ、２８ｂ：電気導体
２１ａ、２１ｂ、３１ａ、３１ｂ：セグメントの端部
２２ａ、２２ｂ、３２ａ、３２ｂ：渡り部
２３ａ、２３ｂ、３３ａ、３３ｂ：接合部
５０：溶接部                      Ｕ：Ｕ相巻線
Ｖ：Ｖ相巻線                      Ｗ：Ｗ相巻線
Ｕａ：Ｕ相一端                    Ｖａ：Ｖ相一端
Ｗａ：Ｗ相一端                    Ｎ：中性点接合部
【図１】
0004662141.tif 000002
【図２】
0004662141.tif 000003
【図３】
0004662141.tif 000004
【図４】
0004662141.tif 000005
【図５】
0004662141.tif 000006
【図６】
0004662141.tif 000007
【図７】
0004662141.tif 000008
【図８】
0004662141.tif 000009
【図９】
0004662141.tif 000010
【図１０】
0004662141.tif 000011
【図１１】
0004662141.tif 000012
【図１２】
0004662141.tif 000013
【図１３】
0004662141.tif 000014
【図１４】
0004662141.tif 000015
【図１５】
0004662141.tif 000016
【図１６】
0004662141.tif 000017
【図１７】
0004662141.tif 000018
【図１８】
0004662141.tif 000019
【図１９】
0004662141.tif 000020